(57)【要約】【課題】雨傘態様としても通気性劣化の少ない雨傘兼用の日傘とする。【解決手段】日傘１に雨傘用生地から成るカバー１０を被せる。このカバー１０を日傘１に被せれば、日傘の雨漏りはなく、雨傘として使用し得る。そのカバー１０は、中央に日傘１の石突５を挿し通すとともに、脚１２先端部に露先４を挿入することにより、日傘１の放射方向に張られて日傘生地２の表面にピッタリと沿う。各脚１２間は、中央に向かって抉られた円弧状、波状などの凹状１１となっている。この抉れ部１１の存在により、通気性の劣化は極力抑えられる。雨傘は、通常、その中央部分に人が位置し、その中央部分の傘布に降った雨水はその中央部から徐々に速度を増して露先側に流れて雨水遮断効果の必要性は徐々に低下する。このため、支障がない限りにおいて、露先側の雨傘用傘布は削除できて通気性は高まる。この削除の２重布からなる態様は、意匠的にも斬新なものとなる。【選択図】  図１
2004350850.tif 000002
【特許請求の範囲】
【請求項１】
日傘１の傘布２表面に被せられる一枚の雨傘用生地から成り、前記日傘１の各露先４に延びる脚１２を有してその脚１２の先端部に前記露先４が挿入されて、その各露先４の挿入により周囲に張設され、かつ、各脚１２間は、中央に向かって抉られた凹状１１となっている日傘用カバー。
【請求項２】
請求項１記載のカバー１０を被せた日傘。
【請求項３】
請求項２記載の日傘において、上記カバー１０を、前記日傘１の傘生地２と同じ布製としてその布に雨傘布加工したものであることを特徴とする日傘。
【発明の詳細な説明】
【０００１】
【発明の属する技術分野】
この発明は、雨傘とし得る日傘及びそのためのカバーに関するものである。
【０００２】
【従来の技術】
日傘は、紫外線などの日光光線を遮れば良く、また、夏などの暑い季節に使用されるため、その傘生地には通気性のよい、主に布製のものが使用される。このため、日傘を雨用に使用すると、傘生地の通気性から雨水がその傘生地内を通り抜けて傘を差している者に落ちる場合がある。
【０００３】
例えば、夏のゴルフプレーにおいては、日傘の使用が一般的であるが、夕立などの降雨時には、小屋などの雨宿りの場所があれば良いが、その場所がない場合にはその日傘で雨をしのぐこととなる。日傘による雨傘は上記の問題が生じる。日傘と共に雨傘も持ち歩けばよいが煩わしい。
【０００４】
日傘を持っている時に、雨降りに遭うのは、ゴルフプレー時に限らず、日常茶飯事である。
【０００５】
一方、雨傘は、防水・撥水性等を担保するため、傘生地には、プラスチックシート、布表裏面に防水剤、撥水剤をコーティングするなどの雨傘布加工を施したものが使用されている。これらの傘生地は防水・撥水性等から通気性は悪く、雨傘は、日傘としては不向きであり、一般的には、日傘としては使用されていない。
【０００６】
このような実情の下、雨が降ってきた場合には、日傘の傘布表面に防水シートを被せて雨傘使用とし、その防水シートにより雨水を遮るようにしたものがある（特許文献１参照）。
【０００７】
【特許文献１】
特開平１０−２１５９２７号公報  段落００１５
【０００８】
【発明が解決しようとする課題】
上記雨傘兼用の日傘は、防水シートを被せることにより雨傘使用となるが、その防水シートは日傘の傘布全表面に被せるため、日傘の傘生地（傘布）の通気性は全く失われる。このため、その防水シートを被せると、暑苦しさを感じる。すなわち、日傘は、夏などの暑い季節に使用するため、雨傘としてもできるだけ、通気性は保持して快適性を維持したい。
【０００９】
この発明は、日傘を雨傘使用としても、できるだけ通気性を損なわないようにすることを課題とする。
【００１０】
【課題を解決するための手段】
上記課題を解決するために、この発明は、日傘に被せるカバーの雨傘として不必要な部分を削除して極力通気性を確保することとしたのである。
【００１１】
雨傘は、通常、その中央部分に人が位置し、その中央部分の傘布に降った雨水はその中央部から徐々に速度を増して露先側に流れる。このように、雨傘は中央部分が主に雨水を遮る役目を担い、露先側に至るにつれてその役目は低下する。このため、支障がない限りにおいて、露先側の雨傘用傘布は削除でき、削除すれば、通気性は高まる。また、日傘に被せた雨傘用カバーのその削除態様を種々な形とすれば、２重布からなり、かつその両布によってデザイン化された傘となって、意匠的にも斬新なものと成る。
【００１２】
具体的には、日傘の傘布表面に被せられる一枚の雨傘用生地から成り、前記日傘の各露先に延びる脚を有してその脚の先端部に前記露先が挿入されて、その各露先の挿入により周囲に張設され、かつ、各脚間は、中央に向かって抉られた凹状となっている構成としたのである。その凹状の形を、円弧状、波状などと任意に選択することにより、上記通気性及びデザイン性を自由に得ることができる。
【００１３】
このとき、上記カバーを、日傘の傘生地と同じ布製としてその布に雨傘布加工したものとすれば、雨傘用の傘布と日傘用の傘布が共に布製となり、両者が馴染み易く、デザイン上も優れたものとなる。特に、同質の布とすれば、馴染み易さはより高まる。
【００１４】
【実施の形態】
この発明の一実施形態を図１乃至図３に示し、日傘１は図１、図２に示すように、その傘生地（傘布）２は通気性の良い織物（布）からなり、その布２を親骨３に張るとともに露先４に括り付けた（係止した）一般的なものである。
【００１５】
この発明の特徴は、その日傘１の傘布２に被せるカバー１０であり、このカバー１０は、日傘１の傘布２と同質の布生地に防水・撥水加工等を施したものであり、図１、図３に示すように、日傘１の傘布２と同様な形状をしているが、各露先４間は円弧状の凹状に抉っている。この抉り部１１は、雨水は、カバー（生地）１０上を流れ落ちるにつれ速度が増し、周縁近くに至るときには傘布２に染み入る度合が少なく、むしろ、通気性の面から、生地を露出させることが好ましいからである。このため、この抉り度合は通気性及び止水性を考慮して適宜に選択する。
【００１６】
カバー１０の抉り部１１の間は脚１２となり、その脚１２の先端に筒状係止具１３が設けられており、その各脚１２の係止具１３に日傘１の各露先４を挿し入れることにより、カバー１０が張られて傘布２にぴったり被せられる（図４参照）。係止具１３に代えて、単に、鳩目、縁縫いなどによる孔とすることもできる。カバー１０の中央部には日傘１の石突５が挿し通される孔１４が形成されている。この孔１４の周縁はプラスチック製鳩目などで補強してもよいが、止水性から縁縫いによる補強が好ましい。縁縫いによれば、水を含むことにより、その孔１４の周縁が石突５に吸着して止水効果を発揮するからである。露先４への傘布２及び係止具１３への脚１２（カバー１０）の係止は、図４に示すように露先４（係止具１３）に孔ｂを介して括り糸ａを通す等による。
【００１７】
カバー１０の素材としては、日傘１の傘布２が布製の場合には、馴染み易さ等から布製、特に上述のように同質の布が好ましいが、雨傘用傘布として使用できるものであれば、何れでも良く、例えば、各種のプラスチックシート、異種の布などの周知の雨用傘生地を使用できる。雨傘布処理も周知の手段を施せばよく、例えば、織物布の表裏面に防水剤・撥水剤などをコーティングする等と任意である。
【００１８】
カバー１０は、衣服等のポケットに入れて携帯して良いが、図１に示すように、柄６に袋７を吊り下げたり、図５に示すように、柄６に開閉自在の蓋８を設けて、その蓋８を開けてその中に収納可能とすることもできる。この傘１とともにカバー１０を携帯できれば、使い勝手が良い上に紛失する恐れも少なくなる。
【００１９】
【発明の効果】
この発明は、以上のようにしたので、通気性の良い雨傘兼用の日傘とし得るともにデザインも斬新なものとし得る。
【図面の簡単な説明】
【図１】一実施形態の正面図
【図２】同実施形態の日傘のみの正面図
【図３】同実施形態のカバーの平面図
【図４】同実施形態の露先部の断面図
【図５】他の実施形態の要部正面図
【符号の説明】
１  日傘
２  日傘用傘生地（傘布）
３  親骨
４  露先
５  石突
６  柄
７  カバー収納用袋
８  カバー収納部の蓋
１０  日傘用カバー
１１  凹状抉り部
１２  カバーの脚
１３  露先用係止具
１４  石突用孔
【図１】
2004350850.tif 000003
【図２】
2004350850.tif 000004
【図３】
2004350850.tif 000005
【図４】
2004350850.tif 000006
【図５】
2004350850.tif 000007